(57)【要約】【課題】カメラカバーの取付に係わる組立工数を低減する。【解決手段】カメラのケースカバー２０にレンズ窓２１Ａと発光窓２１Ｂを設け、窓部２１Ａ，２１Ｂを介してカバー２０を分割する。レンズ窓２１Ａに透明な保護ガラス２８を設け、発光窓２１Ｂに保護レンズ３６を設ける。保護ガラス２８の内側にレンズ２３Ａを配置し、レンズ２３Ａを鏡筒カバー２４で保持する。鏡筒カバー２４に押さえ環５０を螺合し、押さえ環５０で保護ガラス２８を保持するとともに、押さえ環５０の凹部５５にカバー２０Ａ，２０Ｂの端部を挿入し、押さえ環５０を介してカバー２０Ａ，２０Ｂ同士を締結する。また、押さえ環５０により保護レンズ３６から保護ガラス２８への光の侵入を遮る。【選択図】図８
2004246269.tif 000002
【特許請求の範囲】
【請求項１】
撮影光学系を有するレンズ鏡筒と、
撮影光学系の光軸上の前面に配置される透明なレンズ保護部材と、
前記レンズ鏡筒を覆うとともに前記レンズ保護部材の取付用の開口部を有し、少なくともこの開口部を介して分割されるケースカバーと、
前記保護ガラスを保持し、かつ、前記分割されたケースカバー同士を締結する締結兼保持部材とを備えることを特徴とするカメラ。
【請求項２】
請求項１に記載のカメラにおいて、
被写体側に光を照射する発光部を前記撮影光学系に隣接して備え、
前記締結兼保持部材は、前記発光部から前記撮影光学系への光の侵入を遮断するように形成されることを特徴とするカメラ。
【請求項３】
請求項１または２に記載のカメラにおいて、
さらに前記レンズ保護部材を覆う円形状のキャップを備え、
前記キャップの周縁部に、前記ケースカバーのキャップ取付面とは異なる面にかけて回り止め部を設けることを特徴とするカメラ。
【発明の詳細な説明】
【０００１】
【発明の属する技術分野】
本発明は、デジタルスチルカメラなどのカメラに関する。
【０００２】
【従来の技術】
近年、小型化が要請されるデジタルスチルカメラなどでは、カメラ全体を薄型化し、厚さに対して垂直方向に撮影光学系を配設するようにしたものが知られている（例えば特許文献１参照）。この種のカメラの筐体をなすケースカバーは、厚さ方向に分割可能なものが多く、一般に取付ビスを介してカメラ内部の部品に取り付けられる。
【０００３】
【特許文献１】
特開平１１−２６１８６０号公報
【０００４】
【発明が解決しようとする課題】
この場合、取付ビスの取り付け箇所が多いほど、カメラの組立工数が増加する。また、デザイン上、ビスが外観に影響を与えるのは好ましくない。したがって、ケースカバーを取り付けるための取付ビスは、出来るだけ少ない方が望ましい。
【０００５】
本発明は、組立工数を低減し得るカメラを提供するものである。
【０００６】
【課題を解決するための手段】
本発明によるカメラは、撮影光学系を有するレンズ鏡筒と、撮影光学系の光軸上の前面に配置される透明なレンズ保護部材と、レンズ鏡筒を覆うとともにレンズ保護部材の取付用の開口部を有し、少なくともこの開口部を介して分割されるケースカバーと、保護ガラスを保持し、かつ、分割されたケースカバー同士を締結する締結兼保持部材とを備えることを特徴とする。
被写体側に光を照射する発光部を撮影光学系に隣接して備え、締結兼保持部材を、発光部から前記撮影光学系への光の侵入を遮断するように形成してもよい。
さらにレンズ保護部材を覆う円形状のキャップを備え、キャップの周縁部に、ケースカバーのキャップ取付面とは異なる面にかけて回り止め部を設けることもできる。
【０００７】
【発明の実施の形態】
以下、図１〜図９を参照して本発明の実施の形態について説明する。
図１は本実施の形態に係わるデジタルスチルカメラの外観を示す斜視図であり、図２は外観平面図（図１の矢視ＩＩ図）である。本実施の形態のデジタルスチルカメラはグリップ側本体（以下、単にカメラ本体と呼ぶ）１とレンズ鏡筒側本体（以下、単にレンズ鏡筒と呼ぶ）２からなる。なお、以下では、図１に示すようにカメラの幅Ｗ、長さＬ、厚さＴの各方向を定義する。
【０００８】
カメラ本体１には、液晶モニタ１１と、レリーズボタン１２と、種々のカメラの設定を行うための複数のダイヤル，スイッチなどが設けられている。レンズ鏡筒２には被写体光束を取り込むためのレンズ窓２１Ａと被写体が暗いとき被写体を照明するための補助光発光窓２１Ｂが設けられている。
【０００９】
レンズ鏡筒２は、円筒状の軸部２２（図６参照）を介し、撮影光学系の光軸に垂直な回動軸ＡＸを支点としてカメラ本体１に回動可能に支持されている。図３は図２の矢視ＩＩＩ図であり、レンズ鏡筒２をカメラ本体１に対して矢印方向に９０度回動させた状態を示す。このようなカメラではレンズ鏡筒２を回動することで、モニタ１１を見ながら多方向の被写体を撮影することができ、撮影の自由度が向上する。
【００１０】
図２に示すように、レンズ鏡筒２の窓２１Ａ側端部はカメラ本体１側に突出し（凸部２Ａ）、レンズ鏡筒２は平面視略Ｌ字状をなしている。カメラ本体１は突出部２Ａに対応して凹部１Ａを有し、カメラは全体として矩形状をなしている。
レンズ鏡筒２とカメラ本体１はそれぞれ金属製のカバー１０，２０をそれぞれの外皮として備えている。
【００１１】
図４（ａ）はカバー１０，２０の外観斜視図である。カバー１０，２０は、それぞれ厚さ方向に分割された一対のカバー１０Ａ，１０Ｂおよび２０Ａ，２０Ｂからなる。カバー２０Ａ，２０Ｂの端部は、図４（ａ）をｂ方向から見た図４（ｂ）に示すように、一部が曲面状に形成され（曲面部２０ａ，２０ｂ）、曲面部２０ａ，２０ｂにより半円筒状のレンズ窓２１Ａが形成されている。また、カバー２０Ａ，２０Ｂ端部にはレンズ窓２１Ａに連なって略矩形状の発光窓２１Ｂが形成されている。なお、２０ｃは、カバー２０Ａ，２０Ｂの境界面である。
【００１２】
図５は図２のＶ−Ｖ線断面図である。図５に示すようにカメラ本体１には、液晶モニタ１１と、メモリカード１３と、電源電池１４と、電気回路基板１５が収容されている。電源電池１４は薄型の箱形電池である。メモリカード１３と電池１４の挿脱は、図３に示すカバー１０ａを開放することで行う。電気回路基板１５には、全カメラシーケンスを制御するＣＰＵやメモリ、ＤＣ／ＤＣコンバータ等が実装されている。
【００１３】
カメラ本体１のカバー１０Ａ，１０Ｂは、それぞれビス１０２，１０３により本体ベース１０１に締結されている。１０４，１０５は化粧カバーであり、化粧カバー１０４，１０５はそれぞれカバー１０Ａ，１０Ｂの貼り付け面１０Ａａ，１０Ｂａに接着されている。なお、本体ベース１０１にはレンズ鏡筒２の軸部２２が貫通し、本体ベース１０１から軸部が支持されている。
【００１４】
次に、レンズ鏡筒２の内部構成を説明する。図６はレンズ鏡筒２の内部構成を示す断面図である。レンズ鏡筒２には以下のような撮影光学系や閃光発光部が設けられている。
【００１５】
図６に示すようにレンズ光学系は、レンズ枠２５に保持されたレンズ２３Ａ，２３Ｂ，２３Ｃと、レンズ枠２６に保持されたレンズ２３Ｄ〜２３Ｆと、固定筒２７に保持されたレンズ２３Ｇとを有する。保護ガラス２８は、鏡筒カバー２４と鏡筒カバー２４にねじ締結される押さえ環５４との間に挟持され、さらにその前面には着脱自在なキャップ６０が装着されている。３０はシャッタである。
【００１６】
鏡筒カバー２４と固定筒２７との間には一対のガイド軸３１が掛け渡され、この軸３１に沿ってレンズ枠２５を光軸方向に移動させることでズーミングおよびフォーカシングを、同様にレンズ枠２６を移動させることでズーミングを行う。
さらに固定筒２７には光学ローパスフィルタ３２と撮像素子としてのＣＣＤ３３が保持されるとともに、図５に示すレンズ枠２５移動用のステップモータ４１およびレンズ枠２６移動用のステップモータ４２が支持される。
【００１７】
レンズ２３Ａ〜２３Ｇ，ローパスフィルタ３２，ＣＣＤ３３，モータ４１，４２は予めユニット化され、撮像ユニットＵＮとしてレンズ鏡筒２内に配置される。また、このユニットＵＮにはレンズ２３Ｂ，２３Ｃおよびレンズ２３Ｄ〜２３Ｆの初期位置を検出するための一対のフォトリフレクタ４３，４４が格納されている。
【００１８】
フォトリフレクタ４３，４４は、図７に示すようにレンズ鏡筒２の厚さ方向両端部にレンズ２３Ｂ〜２３Ｆに面して配設されている。フォトリフレクタ４３，４４はそれぞれ投光部と受光部を有し、各投光部からの光をそれぞれ反射板４５，４６で反射させて受光部に導き、受光部の光電変換出力を検出する。反射板４５，４６は反射面を有し、レンズ２３Ｂ，２３Ｃの移動に伴いフォトリフレクタ４３に対し反射板４５が相対移動し、レンズ２３Ｄ〜２３Ｆの移動に伴いフォトリフレクタ４４に対し反射板４６が相対移動する。これにより受光部の検出出力がレンズ２３Ｂ〜２３Ｆの位置に応じた値となるため、レンズ２３Ｂ〜２３Ｆの初期位置を検出することができる。なお、初期位置以外では、ステップモータ４１，４２の指令値によりレンズ２３Ｂ〜２３Ｆの位置を検出する。
【００１９】
このようにレンズ２３Ｂ〜２３Ｆの位置検出器としてフォトリフレクタ４３，４４を用いることで、フォトインタラプタを用いる場合に比べて位置検出器の厚さ方向の出っ張りを抑え、レンズ鏡筒２をカメラ本体１と同程度に薄型化することができる。また、一対のモータ４１，４２とフォトリフレクタ４３，４４をレンズを挟んでレンズ鏡筒２の厚さ方向に対象に配置し、モータ４１，４２をカメラ本体１側に配置するようにしたので、レンズ鏡筒２の角部２ａに大きく丸みを付けることができる。
【００２０】
図６に示すように、レンズ鏡筒２のカメラ本体１側には、カバー２０Ａ，２０Ｂを取り付けるためのプラスチック製のベース１００が設けられている。ベース１００には突起部１００ａ，１００ｂが形成され、この突起部１００ａ，１００ｂが対応するカバー２０Ａ，２０Ｂの孔に挿入される。これによりベース１００にカバー２０Ａ，２０Ｂを取り付ける際の組立ズレを防止し、組立性を高める。軸部２２はレンズ鏡筒２の回動動作にも十分耐えうるように耐久性の高い金属により形成され、ベース１００は軸部２２と一体に成形されている。
【００２１】
撮像ユニットＵＮの後方には、回路基板３４が設けられ、更にその後方には閃光発光用のメインコンデンサ３５が配設されている。レンズ２３Ａ〜２３Ｇおよびシャッタ３０を通った被写体光束は、ローパスフィルタ３２を介してＣＣＤ３３に入射し、ＣＣＤ３３からアナログ画像信号が出力される。このアナログ画像信号は、回路基板３４に実装された回路素子等によりデジタル信号に変換される。デジタル変換された信号は、所定の画像処理が施された後、軸部２２の内部を通ってカメラ本体１側に導かれ、画像データとしてカメラ本体１内のメモリカード１３に記憶される。
【００２２】
一方、閃光発光部は発光窓内側の撮影光学系の側方の凸部２Ａに収容され、発光窓２１Ｂは保護レンズ３６で覆われている。閃光発光部は、閃光発光管３７と、リフレクタ３８と、閃光発光回路３９等を有する。閃光発光管３７はカメラ本体１の幅方向に延在するように配設され、メインコンデンサ３５に蓄えられた電荷により発光し、被写体を照明する。保護レンズ３６は配光用のフレネルレンズとしても機能する。
【００２３】
図８は図６のＶＩＩＩ部拡大図であり、図９はレンズ鏡筒２の斜視図（図６の矢視ＩＸ図）である。図８に示すように鏡筒カバー２４の外周面にはねじ部が設けられ、このねじ部にリング状の押さえ環５０のねじ部５１が螺合されている。押さえ環５０の中央内周面には内径方向に凸部５２が設けられ、保護ガラス２８は押さえ環５０の内周面５３および凸部５２の端面で保持されている。すなわち押さえ環５０は保護ガラス２８と保護レンズ３６の間に介装されるとともに、キャップ６０側の端部５４は保護ガラス２８と保護レンズ３６の表面から突出している。
これにより図示矢印のように閃光発光部からの光が保護レンズ３６を伝わって撮影光路に侵入することを防止でき、適正な撮影を行うことができる。
【００２４】
また、ねじ部５１の外側の押さえ環５０の端面には凹部５５が形成され、この凹部５５に図４に示す曲面部２０ａ，２０ｂの先端がそれぞれ挿入される。これによりカバー２０Ａと２０Ｂの端部が押さえ環５０を介して締結され、押さえ環５０の近傍でカバー取付用のビスを省略することができる。さらに、カバー２０Ａ，２０Ｂは押さえ環５０の凹部５５により位置が規制されるので、押さえ環５０の近傍以外でカバー取付用のビス（例えば図３の５１）を容易に取り付けることができ、組立性も良好である。
【００２５】
図９に示すようにキャップ６０は、押さえ環５０の外周面に嵌合されるリング６１と、保護ガラス２８を覆うカバー６２とを有する。リング６１にはカバー２０Ａ，２０Ｂの曲面部２０ａ，２０ｂを覆うように湾曲状の鍔６３が設けられ、鍔６３の反対側には外周方向に突出する突出部６４が設けられている。なお、鍔６３にはストラップ用の引掛部６３ａが形成されている。リング６１は例えば一体成形の樹脂で形成され、図８において突出部６４を引っ張り上げるとリング６１が変形し、リング内周の凸部６５が押さえ環５０の係止部５６から外れる。これによりキャップ６０が取り外される。
【００２６】
また、キャップ６０を押さえ環５０に押し込むと、凸部６５が係止部５６に係止され、キャップ６０が取り付けられる。キャップ６０は周方向非対象形状であり、半円筒形状の曲面部２０ａ，２０ｂと鍔６３とが一致する位置でのみキャップ６０は取付可能である。この場合、キャップ６０が一旦取り付けられると、鍔６３が回り止めとなり、押さえ環５０に対するキャップ６０の回転が拘束される。すなわち鍔６３の縁６３ｂがカバー２０Ａ，２０Ｂの表面に当接してキャップ６０の回転が阻止される。これによりキャップ６０の向きは常に一定方向に固定され、カバー６２の表面に絵や文字６２ａを記入しても、その天地が反対になることはない。つまり、絵や文字６２ａはカメラの向きに常に一致し、キャップ６０を含めたカメラの外観が一層向上する。
【００２７】
以上説明した本実施の形態によれば、以下のような作用効果を奏する。
（１）保護ガラス２８を保持するための押さえ環５０の端面に凹部５５を設け、この凹部５５を介してカバー２０Ａと２０Ｂを締結するようにしたので、カバー取付用のビスを節約することができ、組立工数を低減することができる。また、ビスがカメラ表面に現れないので外観上も好ましい。
（２）押さえ環５０をレンズ２３Ａの鏡筒カバー２４の外周に螺合するようにしたので、押さえ環５０が遮光板として機能し、保護レンズ３６から撮影光路への光の侵入が遮られ、補助光発行時、光が撮影レンズ内へ迷い込むことがない。
（３）押さえ板５０が保護ガラス２８を保持する機能とカバー２０Ａ，２０Ｂを締結する機能と保護レンズ３６からの光を遮光する機能とを兼用するので、つまり押さえ板５０は３つの機能を有するので、部品点数を低減することができ、コスト削減が図れる。
（４）保護ガラス２８のキャップ６０に回り止め用の鍔６３を設けるようにしたので、キャップ６０の回転が拘束され、キャップ６０の向きを常に適正方向に固定することができる。
（５）レンズ鏡筒２の厚さ方向に一対のフォトリフレクタ４３，４４を配置し、フォトリフレクタ４３，４４によりレンズ２３Ｂ〜２３Ｆの初期位置を検出するようにしたので、レンズ鏡筒２を薄型化できる。
（６）レンズ鏡筒２のカメラ本体１側に一対のモータ４３，４２を配置し、厚さ方向中央部に一対のガイド軸３１を配置するようにしたので、レンズ鏡筒２の角部２ａを大きく丸くすることができる。
【００２８】
なお、上記実施の形態では、保護ガラス２８を支持し、かつカバー２０Ａ，２０Ｂ同士を締結する締結兼保持部材としてリング状の押さえ環５０を用いたが、締結兼保持部材はリング状以外（例えば矩形状）でもよい。したがって、レンズ窓２１Ａに相当するカバー２０Ａ，２０Ｂの開口部の形状も円形に限らない。また、押さえ環５０にねじ部５１を設けて鏡筒カバー２４に螺合するようにしたが、ねじ部５１以外で押さえ環５０を鏡筒カバー２４に固定するようにしてもよい。カバー２０を厚さ方向に２分割したが、押さえ環５０の取付部にカバー２０Ａ，２０Ｂの境界面２０ｃがあり、押さえ環５０でカバー同士を締結するのであれば、２分割以外でもよい。
【００２９】
レンズ窓２１Ａをカメラの幅方向端部に厚さ方向垂直に設けるようにしたが、他の箇所（例えば幅方向中央部）に設けてもよい。キャップ周縁のリング６１からカバー２０Ａ，２０Ｂの曲面部２０ａ，２０ｂにかけて鍔６３を設けたが、キャップ取付面（カバー６２に平行な面）以外の面（例えば図９のＦＡ１）にかけて鍔を設けるのであれば、必ずしも曲面部２０ａ，２０ｂにかけて鍔を設ける必要はない。つまり、キャップ取付面以外に鍔の縁部が当接し、鍔が回り止めとして機能するのであれば、鍔の形状や取り付け位置は上記のものに限らない。したがって、レンズ窓２１Ａをカメラの角部ではなく中央部に設け、レンズ窓２１Ａに連なる曲面部２０ａ，２０ｂを半円筒状ではなく完全な円筒状とすることもできる。キャップ６０は樹脂成形でなく、アルミなどで形成してもよい。
【００３０】
上記実施の形態では、レンズ鏡筒２をカメラ本体１に回動可能に構成したが、回動不能であってもよい。また、実施の形態はデジタルスチルカメラに適用したが、他のカメラにも同様に適用することができる。すなわち、本発明の特徴、機能を実現できる限り、本発明は実施の形態のカメラに限定されない。
【００３１】
【発明の効果】
本発明では、レンズ保護部材取付用の開口部を介してケースカバーを分割し、この分割されたケースカバー同士を保護ガラスの保持部材により締結するようにしたので、カバー取付用のビスを節約することができ、組立工数を低減することができる。
【図面の簡単な説明】
【図１】本発明の実施の形態に係わるデジタルスチルカメラの外観斜視図。
【図２】図１の矢視ＩＩ図。
【図３】図２の矢視ＩＩＩ図。
【図４】本発明の実施の形態に係わるデジタルスチルカメラを構成するカバーの外観斜視図。
【図５】本発明の実施の形態に係わるデジタルスチルカメラの厚さ方向断面図（図２のＶ−Ｖ線断面図）。
【図６】本発明の実施の形態に係わるデジタルスチルカメラを構成するレンズ鏡筒の内部構成を示す断面図。
【図７】図５とは異なる位置の厚さ方向断面図。
【図８】図６のＶＩＩＩ部拡大図。
【図９】図６の矢視ＩＸ図。
【符号の説明】
１  カメラ本体                  ２  レンズ鏡筒
２０Ａ，２０Ｂ  カバー        ２０ａ，２０ｂ  曲面部
２１Ａ  レンズ窓              ２１Ｂ  発光窓
２８  保護ガラス                ３６  保護レンズ
５０  押さえ環                  ５１  ねじ部
５５  凹部                      ６０  キャップ
６１  リング                    ６３  鍔
【図１】
2004246269.tif 000003
【図２】
2004246269.tif 000004
【図３】
2004246269.tif 000005
【図４】
2004246269.tif 000006
【図５】
2004246269.tif 000007
【図６】
2004246269.tif 000008
【図７】
2004246269.tif 000009
【図８】
2004246269.tif 000010
【図９】
2004246269.tif 000011